(57)【要約】      （修正有）【課題】操作性、防水性及び耐衝撃性に優れたマリンクロノメーターをリワインドするデバイスを提供する。【解決手段】支持体にマウントされた時計を有するマリンクロノメーターであって、時計をジンバルマウントによって支持体に対して傾けることなどができるようにされており、時計は、ケース内に、バレルによって駆動される機械式の時計ムーブメントを有し、時計は、さらに、リワインド用ギヤ列と係合しておりバレルをリワインドするリワインド用制御メンバー１３を有する。リワインド用制御メンバー１３は、時計の外側に配置されたリワインド用制御ギヤ列１４を有し、リワインド用制御ギヤ列１４は、ケースの壁を通り抜ける貫通スピンドル１５にベアリング１１ａを介して固定されており、貫通スピンドル１５は、バレルのリワインド用ギヤ列と係合している。【選択図】図２
2019060861.tif 000002
【特許請求の範囲】
【請求項１】
支持体（３０）にマウントされた時計（１０）を有するマリンクロノメーターであって、
前記時計をジンバルマウント（１２）によって前記支持体に対して傾けることなどができるようにされており、
前記時計は、ケース（１１）内に、バレル（Ｂ）によって駆動される機械式の時計ムーブメントを有し、
前記時計は、さらに、リワインド用ギヤ列（Ｂａ）と係合しており前記バレルをリワインドするリワインド用制御メンバー（１３）を有し、
前記リワインド用制御メンバー（１３）は、前記時計の外側に配置されたリワインド用制御ギヤ列（１４）を有し、
前記リワインド用制御ギヤ列（１４）は、前記ケース（１１）の壁を通り抜ける貫通スピンドル（１５）にベアリング（１１ａ）を介して固定されており、
前記貫通スピンドル（１５）は、前記バレルのリワインド用ギヤ列（Ｂａ）と係合している
ことを特徴とするクロノメーター。
【請求項２】
前記ベアリング（１１ａ）には、その内壁に、シール（１１ｂ）が収容される溝が少なくとも１つある
ことを特徴とする請求項１に記載のクロノメーター。
【請求項３】
さらに、連結位置と安静位置の間を動くことができる連結用ギヤ列（２１）を有する連結手段（２０）を有し、
前記連結位置においては、前記時計のリワインド用制御メンバー（１３）が前記連結手段に機械的に連結しており、
前記安静位置においては、前記リワインド用制御メンバー（１３）が前記連結手段とは独立している
ことを特徴とする請求項１又は２に記載のクロノメーター。
【請求項４】
前記リワインド用制御ギヤ列（１４）には、フランジ（１４ａ）と、及びこのリワインド用制御ギヤ列フランジ（１４ａ）の下側面に入り込むように切り込まれている複数の歯（１４ｂ）があり、
前記連結用ギヤ列（２１）には、フランジ（２１ａ）と、及びこの連結用ギヤ列フランジ（２１ａ）の頂面に入り込むように切り込まれている歯（２１ｂ）があり、
前記連結用ギヤ列（２１）は、前記連結手段が連結位置にあるときに前記リワインド用制御ギヤ列（１４）の回転を駆動することができるように構成している
ことを特徴とする請求項３に記載のクロノメーター。
【請求項５】
前記連結手段（２０）は、さらに、保持スピンドル（２２）と、及び前記保持スピンドル（２２）に沿って前記連結用ギヤ列（２１）を連結位置と安静位置の間にて摺動運動させるリフト機構（３１）を有する
ことを特徴とする請求項３又は４に記載のクロノメーター。
【請求項６】
前記リワインド用制御メンバー（１３）と前記連結手段（２０）は、前記連結手段が連結位置にあるときに前記時計が前記連結手段（２０）上に載るように、前記ケースの下に位置する
ことを特徴とする請求項３〜５のいずれかに記載のクロノメーター。
【請求項７】
さらに、前記連結手段（２０）の回転を駆動する回転機構（４０）を有するリワインド手段を有する
ことを特徴とする請求項３〜６のいずれかに記載のクロノメーター。
【請求項８】
前記リワインド手段は、さらに、前記バレルがリワインド済み位置に到達したときに前記連結手段（２０）を前記回転機構から分離するように構成している解放機構を有する
ことを特徴とする請求項７に記載のクロノメーター。
【請求項９】
前記連結手段（２０）は、接続用ギヤ列（２２ａ）を有し、
前記回転機構（４０）は、
自由端（４１ａ）がキー、クランク、リュウズのような手動駆動デバイス又は電気的に補助される駆動デバイスを受けるように構成している開始用スピンドル（４１）と、
前記接続用ギヤ列（２２ａ）及び噛み合い連結ピニオン（４３ｂ）と噛み合うギヤ列（４３ａ）を有しており前記開始用スピンドル（４１）に対して回転することができるようにマウントされる駆動メンバー（４３）と、
前記噛み合い連結ピニオン（４３ａ）を補い弾性戻し手段（４６）によって前記噛み合い連結ピニオン（４３ｂ）と噛み合っているように維持される駆動ピニオン（４５）とを有し、
前記噛み合い連結ピニオン（４３ａ）、前記駆動ピニオン（４５）及び前記弾性戻し手段（４６）はともに、前記リワインド手段の解放機構を形成する
ことを特徴とする請求項６〜８のいずれかに記載のクロノメーター。
【発明の詳細な説明】
【技術分野】
【０００１】
本発明は、船にて計時するように意図された一般的には大きな形態の時計を有する機械式のマリンクロノメーターに関する。このような時計は、既知の手法で、ケース内に、バレルによって駆動される機械式ムーブメントを有し、このような時計は、その時計を支持体に対してあらゆる方向に傾けることができるようにジンバルマウントによって支持体に対して固定される。このようにして、このジンバルマウントは、時計、特に、時計の発振器が、船の運動にかかわらず水平姿勢を保持することを確実にする。しかし、ジンバルマウントは弱く、特に、支持する時計の重みのおかげで、運動や衝撃に非常に良く耐えるというわけではない。また、マリンクロノメーターは、困難な天候状況においても用いることができる必要があり、特に、防水性でなければならない。したがって、知られているように、このような時計は防水ケースを備える。しかし、クロノメーターバレルをリワインドするためには、時計ケースの外側からの手動の介入操作が必要となる。
【背景技術】
【０００２】
特許文献Ｄ１（スイス特許文献ＣＨ２９６０）は、機械式リワインド機構を備えたマリンクロノメーター用のケースについて記載している。ヒューズスピンドルには、ラチェット歯ピニオンＦが固定される。このヒューズスピンドルの続きに、ケースの底にて、リワインド位置のピニオンＦと係合するように摺動運動することができるようにマウントされた同様の歯パターンのリワインド用ピニオンＦ’がマウントされている。ケースの外側にて、リワインド用ピニオンスピンドルＦ’に歯車Ｄがマウントされており、この歯車Ｄは、リワインド用ステムの一端に固定されるベベルギヤピニオンＣにつながれている（これに関して文献Ｄ１の図１を参照されたい）。リワインド用ピニオンを支持するスピンドルが時計のケースを通り抜ける領域の密封性は、一般的には、シールによって与えられる。しかし、このような密封性をあらゆる使用条件においても確実にできるわけではない。具体的には、時刻をセッティングしたりリワインドしたりするとき、シールの有効性は、リワインド用ピニオンＦ’を支持するスピンドルの並進運動が行われるにしたがって低くなる。その上、文献Ｄ１に記載されているようなリワインドシステムは、幾分信頼性に課題がある。なぜなら、歯車Ｄとベベル駆動車Ｃの間で摺動運動する可能性があるためである。
【発明の概要】
【発明が解決しようとする課題】
【０００３】
本特許出願は、上記の既知のマリンクロノメーターの課題の少なくとも１つを克服した新規のマリンクロノメーターを提案するものである。
【０００４】
より詳細には、本発明は、支持体にマウントされた時計を有するマリンクロノメーターを提案するものであって、前記時計をジンバルマウントによって前記支持体に対して傾けることなどができるようにされており、前記時計は、ケース内に、バレルによって駆動される機械式の時計ムーブメントを有し、前記時計は、さらに、リワインド用ギヤ列と係合しており前記バレルをリワインドするリワインド用制御メンバーを有する。
【課題を解決するための手段】
【０００５】
本発明に係るクロノメーターにおいて、前記リワインド用制御メンバーは、前記時計の外側に配置されたリワインド用制御ギヤ列を有し、前記リワインド用制御ギヤ列は、前記ケースの壁を通り抜ける貫通スピンドルにベアリングを介して固定されており、前記貫通スピンドルは、前記バレルのリワインド用ギヤ列と係合している。
【０００６】
ベアリングは、特に、バレルをリワインドするために、リワインド用制御メンバーの回転を可能にするが、時計ケースの壁を通り抜けるスピンドルのいずれの並進運動をも防ぐ。このようにして、リワインド手段が安静位置にあってもリワインド位置にあっても、ベアリングの密封状態が維持される。さらに、リワインド用制御ギヤ列は、ケースの外側に位置しているために、ケース内への介入操作をまったくせずにリワインド手段に連結することができ、したがって、密封性の制御が維持される。
【０００７】
ベアリングの内壁に、少なくとも１つの溝があることができる。この溝内には、ケースの密封性を改善させるシールが収容される。このシールは、例えば、Ｏリングである。リワインドするときに、シールには、リワインド用制御メンバーを通り抜けるスピンドルの回転によって発生する半径方向の負荷のみがかかり、周方向の負荷はかからない。このことは、シールが動いたり変形したりしないことを意味する。このようにして、ケースの密封性は、バレルがリワインドされているときにも、完璧に維持される。
【０００８】
本発明に係るクロノメーターは、さらに、連結位置と安静位置の間を動くことができる連結用ギヤ列を有する連結手段を有することができる。前記連結位置に置いては、時計のリワインド用制御ギヤ列及び連結用ギヤ列が機械的に連結されており、前記安静位置においては、時計のリワインド用制御ギヤ列は、連結手段と独立している。このように作られているために、連結手段によって、例えば、バレルをリワインドするときに、バレルに関連づけられたリワインド用制御メンバーを並進運動するように動かさないことができる。
【０００９】
１つの実施形態によると、前記連結手段は、さらに、保持スピンドルと、及び前記保持スピンドルに沿って前記連結用ギヤ列を連結位置と安静位置の間にて摺動運動させるリフト機構を有する。前記リフト機構は、例えば、はさみタイプのものであることができ、レバーを用いて手動でアクチュエートすることができる。
【００１０】
好ましい形態において、前記リワインド用制御メンバー及び前記連結手段は、連結用ギヤ列が連結位置にあるときに時計が連結手段上に載っているように、時計ケースの下に位置する。したがって、連結位置において、連結用ギヤ列及びその保持スピンドルは、時計の重みを支える。これに加えて、ジンバルマウント上にて傾くことなどができるように動くことができるように時計がマウントされているときには、時計は動けなくされて駆動メンバー上に載っている。したがって、時計は、ケースの中心軸と同心の位置にロックされ、このロック位置によって、計時機能を含まない船における輸送の間の時計のいずれの不規則的な運動をも防ぐ。
【００１１】
このクロノメーターは、さらに、ユーザーがバレルをリワインドすることができるように、前記連結用ギヤ列の回転を駆動する回転機構を有するリワインド手段を有することができる。
【００１２】
これを補うために、前記リワインド手段は、バレルがリワインド済み位置に到達したときに連結手段を回転機構から分離するように設計された解放機構を有することができる。このことによって、ユーザーが過大な力を加えても、時計及び／又はリワインド手段を壊さないようにすることができる。
【００１３】
本発明に係るクロノメーターの例示的な実施形態についての以下の説明を読むことで、本発明を一層理解することができ、また、本発明のさらなる特徴及び利点が一層と明確になるであろう。これらの例は、本発明を限定するように与えられるのではない。下の説明は、添付の図面を参照しながら読むべきである。
【図面の簡単な説明】
【００１４】
【図１】クロノメーターの斜視図である。
【図２】本発明に係るクロノメーターの必要要素の断面図であり、リワインド手段がリワインド位置にある。ケースは取り除かれている。
【図３】連結手段が安静位置にある本発明に係るクロノメーターの重要な要素についての下側から見た斜視図である。ケースは取り除かれている。
【図４】連結手段が安静位置にある本発明に係るクロノメーターの重要な要素についての上側から見た部分断面斜視図である。ケースは取り除かれている。
【図５】本発明に係るクロノメーターの回転機構についての断面図である。
【発明を実施するための形態】
【００１５】
上で述べているように、本発明は、支持体３０にマウントされる時計１０を有するマリンクロノメーターに関する。図１において、時計１０は、支持体に対して傾くことができるようにジンバルマウントによってマウントされ、ケーシング１内に設置される。図示した例において、時計１０は、球の一部の形をしているケース１１を有し、このケース１１内に、伝統的な機械式の時計ムーブメントが収容されている。その駆動手段は、公知であり、リワインド用ギヤ列Ｂａと噛み合うバレルＢによって形成される。ケース１１は、風防によって伝統的な手法で閉じられて密封され、この風防の下に、表盤、針（図１）、そして時計ムーブメントが配置される。時計１０のジンバルマウントは、それ自身単独で公知であり、単にマウント用リング１２の形態で描かれている。リング１２と支持体３０の間の機械的な接続は、図をわかりやすくするために、詳細に描かれていない。
【００１６】
本発明に係る時計は、さらに、時計の外側に配置されたリワインド用制御ギヤ列１４を有するリワインド用制御メンバー１３を有する。図示している実施形態によると、リワインド用制御ギヤ列１４には、フランジ１４ａと、及びこのリワインド用制御ギヤ列フランジ１４ａの下側面に入り込むように切り込まれている複数の歯１４ｂがある。ギヤ列１４は、ケース１１の壁を通り抜けるスピンドル１５にベアリング１１ａを介して固定される。この貫通スピンドル１５は、バレルのリワインド用ギヤ列（Ｂａ）と噛み合っている。図示している例において、ベアリング１１ａの内壁には、２つの溝があり、これらの溝内に、２つのＯリングシール１１ｂが収容されており、スピンドル１５におけるケース１１の密封を完璧にしている。
【００１７】
本発明に係るクロノメーターは、さらに、以下の連結位置と安静位置の間を動くことができる連結用ギヤ列２１を有する連結手段２０を有する。
−  前記連結位置においては、時計のリワインド用制御ギヤ列１４と連結用ギヤ列２１とが機械的に連結している。
−  前記安静位置においては、リワインド用制御ギヤ列１４は、リワインド手段とは独立している。
【００１８】
図示している実施形態によると、連結用ギヤ列２１は、フランジ２１ａと、及びこの連結用ギヤ列２１のフランジ２１ａの頂面に入り込むように切り込まれている複数の歯２１ｂを有しており、連結用ギヤ列２１がリワインド位置にあるときに連結用ギヤ列２１がリワインド用制御ギヤ列１４（機械式の噛み合い連結）を回転駆動できるように構成している。連結手段２０は、さらに、保持スピンドル２２及びリフト機構３１を有する。これによって、連結用ギヤ列２１を連結位置と安静位置の間にて保持スピンドル２２に沿って摺動運動させる。
【００１９】
図示している例において、リワインド用制御メンバー１３と連結手段２０は、連結用ギヤ列が連結位置にあるときに時計が駆動メンバー２０上に載るように、時計ケースの下に位置している。
【００２０】
図示している例において、リフト機構３１は、ユーザーがレバー３３を用いて手動で動かすことができるはさみタイプ（図３〜４）のものである。このリフト機構３１には、４つのリンク対（図２〜４）がある。各リンク対には、はさみ構成で組み合わさっている２つのリンク３４、３５があり、これらのリンク対は、対で接続している。１つのリンク３４には、支持体３０とピボット接続によって連接する足側の端と、関連づけられたリンク３５の頭側の端とピボット接続によって連接する頭側の端とがある。この関連づけられたリンク３５は、さらに、クレードルの接続管２１ａに、そして、関連づけられたリンクの対の別のリンク３５の足側の端に、ピボット接続３５ａによって機械的に連接する足側の端を有する。図示している例における部分について、レバー３３には以下の２つの側があり、実質的にＴ字形である。レバー３３の長い側の自由端は、ハンドル３７を形成している。短い側３８の２つの端３６ａ、３６ｂは、端止めを形成しており、また、装飾要素でもある。一方の端止め３６ａは、安静位置に対応しており、他方の端止め３６ｂは、保持位置及び／又はリワインド位置に対応している。安静位置において、各リンク対３４、３５は、閉じたはさみ（図３〜４）を形成する。レバーのハンドル３７を引く／回すと、リンク対が同時に開いて、保持スピンドル２２の方向にギヤ列２１を並進運動するように駆動して保持位置となる。そして、リワインド用制御メンバー１３は、ギヤ列２１を有する駆動メンバー２０を押し、したがって、時計は、単にジンバルマウントされている状態ではなくなって、動けなくされる。
【００２１】
図において、連結手段２０は、接続用ギヤ列２２ａを有する。一方で、リワインド手段は、連結手段２０を回転駆動する機構と、及びバレルがリワインド済み位置に到達したときに連結手段２０を回転駆動機構から分離するように構成している係合解除機構とを有する。図５に示している回転機構４０は、以下のものを有する。すなわち、
−  自由端４１ａがキー、クランク、ノブのような手動の駆動デバイス又は電気的に補助される駆動デバイスを受けるように構成している運動伝達スピンドル４１と、
−  接続用ギヤ列２２ａと噛み合うギヤ列４３ａと、及び噛み合い連結ピニオン４３ｂとを有しており運動伝達スピンドル４１上で回転できるようにマウントされる駆動メンバー４３と、
−  噛み合い連結ピニオン４３ａを補い弾性戻し手段４６によって噛み合い連結ピニオン４３ｂと噛み合い続ける係合解除ピニオン４５と
を有する。これらの噛み合い連結ピニオン４３ｂ、係合解除ピニオン４５及び弾性戻し手段４６はともに、リワインド手段を係合解除する係合解除機構を形成する。
【００２２】
図示している実施形態に係るクロノメーターをリワインドする手段は、以下のように用いられる。駆動メンバー２０は、安静位置（図３〜４）において、支持体３０上に載せられており、時計から離れている。時計のリワインド用制御メンバー１３と、駆動メンバー２０とは、これらの間に機械的連結がないように、互いに離れている。したがって、時計は、ジンバルマウント上で自由に動くことができる。
【００２３】
ユーザーがレバー３３のハンドル３７を引くと、駆動メンバー２０がリフト機構３１によって持ち上げられる。駆動メンバー２０の駆動ギヤ列２１が時計のリワインド用制御メンバー１３、より詳細には、リワインド用制御ギヤ列１４、と接触すると、ギヤ列２１は、ギヤ列１４と時計を回転させて、ギヤ列２１の軸と時計のギヤ列１４の軸が整列しているリワインド位置にする。ギヤ列２１とギヤ列１４の間の機械的連結は最大となり、時計がギヤ列２１上に載って、ジンバルマウントが時計の重さを和らげられる。このようにして、時計は、例えば、輸送したりリワインドしたりすることができるように、連結手段２０上で動けなくされる。
【００２４】
また、接続用ギヤ列２２ａが駆動ギヤ列４３ａと噛み合っているので、ギヤ列２１は、連結用ギヤ列４３ａと噛み合っている。このことは、スピンドル４１の自由端４１ａでキーを回すと、連結用ギヤ列４３ａが回転して、このことによって、次に、接続用ギヤ列２２ａ、保持スピンドル２２及び駆動ギヤ列２１の回転が駆動されることを意味する。次に、駆動ギヤ列２１は、機械的連結を介してリワインド用制御メンバー１３の回転を駆動する。このことによって、時計のバレルをリワインドすることが可能になる。
【００２５】
上記の例において、駆動手段２０を上昇させて下降させるためにはさみタイプの機構を用いた。しかし、代替形態において、他のタイプのリフト機構を思い描くことができることを明確に理解するべきである。例えば、２つのリンクを備える単純な膝関節タイプの機構、膝部を押すタイプの機構、さらには、伸縮性又は非伸縮性のねじ込み式のジャッキのようなジャッキを用いるシステムを設けることができる。このような機構は、特に、Decoopmanから出版されている「Des Mecanismes Elementaires（基礎的機構）」という題の書籍（ISBN Number 97823650027）の１４４ページと１４５ページに記載されている。この書籍は、参照によって本明細書に組み入れる。
【符号の説明】
【００２６】
１  ケーシング
１０  時計
ｂ  バレル
ｂａ  バレルをリワインドするギヤ列
１１  ケース
１１ａ  ケースの貫通された壁
１１ｂ  シール
１２  マウント
１３  リワインド用制御メンバー
１４  リワインド用制御メンバーのギヤ列
１４ａ  フランジ
１４ｂ  制御メンバーギヤ列の歯
１５  貫通スピンドル
２０  連結手段
２１  連結用ギヤ列
２１ｂ  連結用ギヤ列の歯
２１ａ  フランジ
２２  保持スピンドル
２２ａ  接続用ギヤ列
３１  リフト機構
３３  レバー
３４、３５  はさみを形成するリンク対のリンク
３５ａ  ２つのリンク３５の間の機械的接続
３７  レバー３３のハンドル
３８  レバーの短い側
３８ａ、３８ｂ  端止めを形成する端
４０  連結手段２０を回転駆動する機構
４１  運動伝達スピンドル
４１ａ  ４１の自由端
４３  駆動メンバー
４３ａ  ギヤ列
４３ｂ  噛み合い連結ピニオン
４５  係合解除ピニオン
４６  弾性戻し手段
【図１】
2019060861.tif 000003
【図２】
2019060861.tif 000004
【図３】
2019060861.tif 000005
【図４】
2019060861.tif 000006
【図５】
2019060861.tif 000007